(57)【要約】  車両に対する前後加速度要求の大きさを考慮して、ドライバの違和感を抑えつつ、快適に、車両が制御可能な車両の走行制御装置を提供することである。  車両の前後加速度を制御する第一の制御指令値を算出する第一の制御指令値算出部と、車両に作用する横加加速度に応じた前後加速度を制御する第二の制御指令値を算出する第二の制御指令値算出部と、第一の制御指令値及び第二の制御指令値に基づいて補正の可否を判断する補正判断処理部と、補正判断処理部にて補正有りと判断された場合、第一の制御指令値を第二の制御指令値に基づいて補正する補正処理部と、を有する車両の走行制御装置。
2015045502.tif 000002
【特許請求の範囲】
【請求項１】
車両の前後加速度を制御する第一の制御指令値を算出する第一の制御指令値算出部と、
車両に作用する横加加速度に応じた前後加速度を制御する第二の制御指令値を算出する第二の制御指令値算出部と、
前記第一の制御指令値及び前記第二の制御指令値に基づいて補正の可否を判断する補正判断処理部と、
前記補正判断処理部にて補正有りと判断された場合、前記第一の制御指令値を前記第二の制御指令値に基づいて補正する補正処理部と、
を有する車両の走行制御装置。
【請求項２】
請求項１記載の車両の走行制御装置において、
前記補正処理部は、前記補正判断処理部にて補正無しと判断された場合、前記第一の制御指令値、又は前記第二の制御指令値を出力する車両の走行制御装置。
【請求項３】
請求項１記載の車両の走行制御装置において、
前記第一の制御指令値算出部は、ドライバのアクセル操作に応じた要求加速度を算出し、前記第一の制御指令値として出力する車両の走行制御装置。
【請求項４】
請求項１記載の車両の走行制御装置において、
前記第一の制御指令値算出部は、ドライバにより予め設定した車速で走行するための要求加速度を算出し、前記第一の制御指令値として出力する車両の走行制御装置。
【請求項５】
請求項４記載の車両の走行制御装置において、
前記第一の制御指令値算出部は、先行車が検知された場合、自車及び前記先行車との車間距離をドライバにより予め設定された車間距離を維持して追従走行を行わせる要求加速度を算出する車両の走行制御装置。
【請求項６】
請求項１記載の車両の走行制御装置において、
前記補正判断処理部は、前記第一の制御指令値が予め定めた第一の閾値以上の場合、且つ前記第二の制御指令値が予め定めた第二の閾値以下の場合、補正可能と判断する車両の走行制御装置。
【請求項７】
請求項１記載の車両の走行制御装置において、
前記補正処理部は、前記補正判断処理部にて補正有りと判断された場合、前記第一の制御指令値から前記第二の制御指令値を減じた値を出力する車両の走行制御装置。
【請求項８】
請求項１記載の車両の走行制御装置において、
前記第一の制御指令値算出部は、ドライバのアクセル操作に応じた制御指令値を算出する第一の算出処理と、ドライバにより予め設定した車速で走行する制御指令値を算出する第二の算出処理と、前記第一の算出処理の結果と前記第二の算出処理の結果に基づいて調停後の制御指令値を算出する第三の算出処理と、を有する車両の走行制御装置。
【請求項９】
請求項８記載の車両の走行制御装置において、
前記第一の制御指令値算出部は、前記第一の算出処理で算出された制御指令値が加速指令値であって、且つ前記第二の算出処理で算出された制御指令値が加速指令値である場合、いずれか値が大きい制御指令値を前記調停後の制御指令値として出力する車両の走行制御装置。
【請求項１０】
請求項８記載の車両の走行制御装置において、
前記第一の制御指令値算出部は、前記第一の算出処理で算出された制御指令値が加速指令値であって、且つ前記第二の算出処理で算出された制御指令値が減速指令値である場合、前記第一の算出処理で算出された制御指令値を前記調停後の制御指令値として出力する車両の走行制御装置。
【請求項１１】
請求項５記載の車両の走行制御装置において、
前記先行車は、単眼カメラ、ステレオカメラ、ミリ波レーダー、レーザレーダの少なくとも１つの外界認識センサによって検知される車両の走行制御装置。
【請求項１２】
請求項１記載の車両の走行制御装置において、
前記補正処理部にて補正が実行された場合、表示部によりドライバに報知する車両の走行制御装置。
【発明の詳細な説明】
【技術分野】
【０００１】
本発明は、車両の前後加速度を制御する車両の走行制御装置に関する。
【背景技術】
【０００２】
もっとも基本的な車両の前後加速度を制御する車両の走行制御装置としては、ドライバのアクセル操作に応じて車両の前後加速度（加速側）を制御し、ドライバのブレーキ操作に応じて車両の前後加速度（減速側）を制御する装置がある。【０００３】
このような装置に加えて、ドライバの運転負荷軽減や事故の未然防止のための機能を付加した次のような走行制御装置も一般に知られている。【０００４】
すなわち、走行制御装置および走行制御アルゴリズムの一つはCruise Control（以下、CC）であり、ドライバがアクセル操作をしなくても、予め設定した車速を維持するように前後加速度を制御する装置である。
また、走行制御装置および走行制御アルゴリズムの他の一つは、Adaptive Cruise Control（以下、ACC）であり、自車両の前方に走行する車両がない、または制御対象範囲にない場合には前述のCCと同等の機能として動作し、自車両前方を走行する車両が制御対象範囲にある場合には、この車両との距離をドライバにより予め設定された車間距離、または車間時間を維持するように前後加速度を制御する装置である。【０００５】
さらにこれらの他にも、ドライバ操作に起因して車両に発生する横加加速度に応じて前後加速度を制御することにより、スキルドライバのように車両を安全かつ快適に制御する走行制御装置があり、この種の制御装置が特許文献１に開示されている。この走行制御装置に組み込まれている走行制御アルゴリズムは一般に、Ｇ−Ｖｅｃｔｏｒｉｎｇ制御と呼ばれている。【０００６】
なお、基本的な走行制御アルゴリズムを複数組み合わせることにより、上記する複数の走行制御装置をまとめて一つのシステムとする技術も知られている。【０００７】
このような走行制御装置は、車両を安全に制御する装置であると同時に、ドライバの運転を補助して快適に制御する装置でもある。特に、快適制御のための装置という観点で言えば、ドライバに対して違和感を与えないように制御を実施することが重要となる。【０００８】
このようにドライバに対して違和感を与えないように制御を補正しながら、制御効果を得るための走行制御装置に関し、特許文献２には、自車両の加減速速度を制御する加減速制御装置であって、自車両の横加加速度に基づいて自車両の前後加速度を補正し、自車両の前後加減速度の補正を所定条件に基づいて許可または禁止する加減速制御装置が開示されている。
【先行技術文献】
【特許文献】
【０００９】
【特許文献１】特開２００８−２８５０６６号公報
【特許文献２】特開２０１０−７６５８４号公報
【発明の概要】
【発明が解決しようとする課題】
【００１０】
特許文献２で開示される加減速制御装置によれば、自車両の挙動をより運転者の加減速意図に沿ったものとすることができ、加減速度の補正制御に起因した運転者の違和感を低減することができる。【００１１】
すなわち、この加減速制御装置は、ドライバのアクセル操作による「運転者の加減速意図」を考慮して制御の強弱を補正する技術である。しかしながら、補正量の設定によってはドライバのアクセル操作中にブレーキ制御がかかることによる違和感が残る。または、ドライバのアクセル操作によって、制御が利かなくなることにより効果を得られなくなるという点については十分に考慮されているとは言い難い。  
本発明の目的は、車両に対する前後加速度要求の大きさを考慮して、ドライバの違和感を抑えつつ、快適に、車両が制御可能な車両の走行制御装置を提供することである。
【課題を解決するための手段】
【００１２】
前記目的を達成すべく、本発明の車両の走行制御装置は、車両の前後加速度を制御する第一の制御指令値を算出する第一の制御指令値算出部と、車両に作用する横加加速度に応じた前後加速度を制御する第二の制御指令値を算出する第二の制御指令値算出部と、第一の制御指令値及び第二の制御指令値に基づいて補正の可否を判断する補正判断処理部と、補正判断処理部にて補正有りと判断された場合、第一の制御指令値を第二の制御指令値に基づいて補正する補正処理部と、を有する構成とする。
【発明の効果】
【００１３】
本発明によれば、車両に対する前後加速度要求の大きさを考慮して、ドライバの違和感を抑えつつ、快適に、車両が制御可能な車両の走行制御装置を提供することができる。
【図面の簡単な説明】
【００１４】
【図１】本発明に係る車両の走行制御装置の一実施の形態を示すブロック図である。
【図２】本発明の制御指令値演算部の一実施の形態を示すブロック図である。
【図３】本発明の制御指令値演算部の処理フローの一例を示す図である。
【図４】車両がカーブに進入して脱出する走行経路を模式的に示した図である。
【図５】走行シナリオ１での従来技術１における制御指令の一例を説明した図である。
【図６】走行シナリオ１での従来技術２における制御指令の一例を説明した図である。
【図７】走行シナリオ１での本発明の車両の走行制御装置における制御指令の一例を説明した図である。
【図８】走行シナリオ２での従来技術における制御指令の一例を説明した図である。
【図９】走行シナリオ２での本発明の車両の走行制御装置における制御指令の一例を説明した図である。
【発明を実施するための形態】
【００１５】
以下、図面を参照して本発明の車両の走行制御装置の実施の形態を説明する。
＜走行制御装置の構成＞
図１は、本実施の形態に係る車両の走行制御装置のブロック図である。同図において、走行制御装置１００は、ドライバ操作情報取得部１１１、車両運動情報取得部１１２、および制御指令値演算部１１３を備えている。
【００１６】
走行制御装置１００によって演算された制御指令値に応じて、制動部１１４では車両の制動が実行され、制駆動部１１５では車両の制動または駆動が実行される。
【００１７】
外界認識情取得部１１６は、外界認識センサであって、図示しない自車両の周囲に存在する車両や人、および物などに対する距離、相対速度、および角度を検出し、その結果を制御指令値演算部１１３に送信する機能を備えている。具体的には、外界認識センサとして、ステレオカメラや単眼カメラ、ミリ波レーダやレーザレーダなどがある。
【００１８】
表示部１１７は、図示しないドライバへの情報を表示するディスプレイやカーナビ上に制御状態などを要求に応じて表示する。特に、本発明の方法により不必要なブレーキ制御を抑制することで、エネルギーの利用効率がよくなっている状況をドライバに報知するために、ディスプレイを点灯または点滅させる機能を備えている。
【００１９】
ドライバ操作情報取得部１１１は、アクセル操作量、ブレーキ操作量、シフト操作、ステア角度などのドライバの操作情報を収集し、制御指令値演算部１１３に伝達する機能を備えている。
【００２０】
車両運動情報取得部１１２は、自車速度、ヨーレート、前後加速度、横加速度などの車両の挙動情報を収集し、制御指令値演算部１１３に伝達する機能を備えている。
【００２１】
なお、ドライバ操作情報取得部１１１、車両運動情報取得部１１２、および外界認識情報取得部１１６から制御指令値演算部１１３に送信する情報としては、制御指令値演算部１１３に搭載する走行制御アルゴリズムに必要な情報を収集できればよく、その必要性に応じてセンサ等の構成を追加することも可能である。
【００２２】
制御指令値演算部１１３は、走行制御アルゴリズムや予め実験などにより決定したパラメータを格納するための記憶部であるＲＯＭ(Read Only Memory)や、各種演算処理を実行する処理部であるＣＰＵ(Central Processing Unit)、演算結果を格納する記憶部であるＲＡＭ(Random Access Memory)等から構成される。なお、制御指令値演算部１１３に搭載される走行制御アルゴリズムの構成は図２を参照して以下で説明する。
【００２３】
制動部１１４は、制御指令値演算部１１３にて演算された車両に対する制御指令値（制動指令値）に応じて、車両を制動する機能を備えている。例えば、高圧のブレーキフルードを吐出するポンプと、そのブレーキフルードの圧力を調整しつつ各車輪のホイルシリンダに供給するための電磁バルブなどの機構が好適である。
【００２４】
制駆動部１１５は、制御指令値演算部１１３にて演算された車両に対する制御指令値に応じて、車両を制駆動する機能を備えている。具体的には、駆動指令値に応じて車両の駆動力を変動可能なエンジンシステムや電動モータシステムなどが適当である。
【００２５】
また、制駆動部１１５として電動モータシステムを用いた場合には、制動部１１４に求められる制動能力の一部を回生による制動と分担して実施することが可能である。
【００２６】
なお、本実施の形態では、走行制御装置１００と、制動部１１４および制駆動部１１５を別のブロックとして記載しているが、例えば車両の走行制御装置１００と制動部１１４を組み合わせて一つのシステムとすることや、車両の走行制御装置１００と制駆動部１１５を組み合わせて一つのシステムとすること、あるいは、車両の走行制御装置１００と制動部１１４と制駆動部１１５をすべて組み合わせて一つのシステムとすることも可能である。
【００２７】
また、本実施の形態では、制御指令値演算部１１３と、ドライバ操作情報取得部１１１、および車両運動情報取得部１１２の情報の伝達において、シリアル通信や物理量を電圧信号に変化させてADC（Analog Digital Converter）などで読み取るものである。しかし、必要な情報を図示しないその他の外部システムから車載用ネットワークとして一般に利用されているＣＡＮ（Controller  Area  Network）を利用して受信してもよい。
【００２８】
また、制御指令値演算部１１３と制動部１１４および制駆動部１１５の情報の伝達には、ＣＡＮを利用する。
＜制御指令値演算部の内部構成＞
次に、制御指令値演算部１１３に搭載される走行制御アルゴリズムの構成を説明する。
図２は、制御指令値演算部１１３のソフトブロック構成図である。
【００２９】
同図において、制御指令値演算部１１３は、入力処理部１１３aと、第一の制御指令値演算部である制御指令値算出処理部１１３bと、第二の制御指令値演算部であるG-Vectoring制御による制御指令値の算出処理部１１３cを備えている。なお、制御指令値算出部１１３bにはドライバのアクセル操作やブレーキ操作に応じて制御指令値を算出する処理のほかに、ACCやCCなどの任意の走行制御アルゴリズムを組み合わせて構成して、制御指令値を算出することが可能である。本実施例での構成については、後述する。
【００３０】
さらに、制御指令値算出処理部113bで算出された制御指令値に応じて最終的な制御指令値の補正を実施するかどうかを判断するための補正判断処理部１１３dと、前記補正判断結果に応じて制御指令値の補正を実施する補正処理部である制御指令値補正処理部１１３eを備えている。
【００３１】
そして、フィルタ処理部１１３fでは、前回出力した値と、制御指令値補正処理部１１３eから出力された値でＬＰＦ(Low Pass Filter)処理した最終制御指令値が算出され、制駆動部１１５や制動部１１４に送信される。
＜制御指令値演算部の処理フロー＞
次に、本実施の形態に係る車両の走行制御装置１００を構成する制御指令値演算部１１３における具体的な処理フローについて、図３を用いて説明する。同図は、制御指令値演算部１１３が実行するルーチンのフローチャートであり、図示するルーチンが所定時間間隔で繰り返されるものである。
【００３２】
以下、制御指令値演算部１１３に搭載される走行制御アルゴリズムが、ドライバ操作に応じた制御指令値の算出処理と、ACC、およびG−Vectoring制御の場合について説明する。具体的な構成としては、制御指令値算出処理部１１３bにドライバ操作に応じた制御指令値の算出処理とACCを配し、G-Vectoring制御による制御指令値の算出処理部１１３cにはG-Vectoring制御を配した場合について説明する。
【００３３】
ルーチンが起動されると、まずステップ２００の入力処理が実行され、ドライバ操作情報取得部１１１、および車両運動情報取得部１１２で計測された情報を以後のステップで使用するデータ形式に変換する。また合わせて、外界認識情報取得部１１６から受信した先行車両の情報を以後のステップで使用するデータ形式に変換する。具体的には、入力された信号の物理単位変換処理や時間微分処理、既知の物理式による演算によって新たな物理量の算出などを行う。
【００３４】
次に、ステップ２０１のドライバ操作に応じた制御指令値（Gx_Drv）（第一の制御指令値）の算出処理（第一の算出処理）が実行される。ドライバアクセル操作量に応じた加速側の制御指令値、またはドライバブレーキ操作量に応じた減速側の制御指令値が算出される。つまり、ドライバのアクセル操作に応じた要求加速度を算出し、制御指令値(Gx_Drv)を出力する。なお、ドライバがブレーキ操作とアクセル操作を同時にした場合には、安全を優先させるために、ドライバのブレーキ操作を優先として制御指令値を算出する。
【００３５】
また、本ステップ以降で算出される各制御指令値の単位は、重力加速度「G」で表現した場合を例示しており、正値は加速指令値を表し、負値は減速指令値を表している。
【００３６】
次に、ステップ２０２のACCによる制御指令値（Gx_ACC）（第一の制御指令値）の算出処理（第二の算出処理）が実行され、先行車を補足していない、または先行車を補足しているがACC制御範囲にいない場合には、ドライバにより予め設定した車速で走行するための要求加速度を算出し、制御指令値(Gx_ACC)として出力する。なお、このような場合には、CCやクルーズコントロールやオートクルーズと呼ばれる定速走行機能と同等の機能となっている。また、ACC制御範囲の先行車を補足している場合には、ドライバにより予め設定された車間距離（または車間時間）を維持して追従走行するための制御指令を算出する。
【００３７】
次に、ステップ２０３の調停した制御指令値の算出処理により、前記ステップ２０１で算出された制御指令値（Gx_Drv）と、前記ステップ２０２で算出された制御指令値（Gx_ACC）に応じて、以下表１に示すような処理を実行し、調停後の制御指令値（Gx_Arb）（第一の制御指令値）を算出する。以上のように、第一の制御指令値は、車両の前後加速度を制御する指令値であり、制御指令値（Gx_Drv）、制御指令値（Gx_ACC）、制御指令値（Gx_Arb）のいずれか１つであるとする。
【００３８】
同表で定義する処理内容は、優先順位欄に記載された順序に従い、それぞれの入力データが記載された条件を満たすかどうかを判定し、全ての条件を満たす場合には出力データに対して記載された処理を実行するものである。また、成立する条件が見つかった場合には、それ以降の条件判断は実行しない。なお、表中の「−」に記載の箇所は条件の判断に用いないことを表している。
【００３９】
【表１】
2015045502.tif 000003
ここで、Gx_Drv：ドライバ操作に応じた制御指令値[G]、Gx_ACC：ACCによる制御指令値[G]、Gx_Arb：調停後の制御指令値[G]、である。
【００４０】
なお、表１に記載されたセレクトハイ処理とは、ステップ２０１のドライバ操作に応じた制御指令値（Gx_Drv）の算出処理で算出された制御指令値が加速指令（≧0）の場合で、且つ、ステップ２０２のACCによる制御指令値（Gx_ACC）の算出処理で算出された（加速側の）制御指令値が加速指令（≧0）の場合、いずれか大きい値を選択する処理となる。
【００４１】
また、ドライバ操作優先処理とは、ステップ２０１のドライバ操作に応じた制御指令値（Gx_Drv）の算出処理で算出された制御指令値（Gx_Drv）が加速指令（≧0）の場合で、且つ、ステップ２０２のACCによる制御指令値（Gx_ACC）の算出処理で算出された（加速側の）制御指令値が減速指令（<0）の場合、ドライバ操作に応じた制御指令値（Gx_Drv）を調停後の制御指令値（Gx_Arb）として出力する処理となる。
【００４２】
なお、それ以外の場合、つまり、一般的にドライバがブレーキ操作した場合（減速指令）には、ACCは予め設定した車速や車間距離（または車間時間）の設定がキャンセルされ、ACCによる制御指令値（Gx_ACC）は算出されず、ゼロとなるため、結果的にドライバ操作が優先される処理となる。
【００４３】
次に、ステップ２０４のG-Vectoring制御による制御指令値の算出処理が実行され、以下数式１によってGVC制御指令値(Gx_GVC)（第二の制御指令値）が算出される。
【００４４】
【数１】
2015045502.tif 000004
ここで、Gx_GVC：GVC制御指令値[G]、Gy：車両の横加速度[G]、Gy_dot：車両の横加加速度[G/s]、Cxy：制御ゲイン、T：一時遅れ時定数、s：ラプラス演算子である。
【００４５】
第二の制御指令値であるGVC制御指令値(Gx_GVC)は、車両に作用する横加加速度に応じた前後加速度を制御するものであり、第二の制御指令値演算部であるG-Vectoring制御による制御指令値の算出処理部１１３cにて算出される。
【００４６】
なお、本実施の形態において、数式１で用いられる車両の横加速度と車両の横加加速度としては、車両運動情報取得部１１２から入力される情報を用いるが、ステア角度と自車速度から公知の車両モデルによって推定されたものを用いてもよい。
【００４７】
次に、ステップ２０５の制御指令値に応じた補正判断処理が実行され、以下表２で示す処理により、調停後の制御指令値(Gx_Arb)とGVC制御指令値(Gx_GVC)に基づいて、補正判断ステータス(T_status)を算出する。以下表２を用いて定義した処理内容については、既述の通りである。
【００４８】
【表２】
2015045502.tif 000005
ここで、T_status：補正判断ステータス、T_NotCorr：補正無しを表す値、T_Corr:補正有りを表す値、Gx_Arb：調停後の制御指令値[G]、Gx_GVC：GVC制御指令値[G]、m_GVC_TH：補正に十分な制御指令が出力されていると判断する閾値[G]、m_GVC_DEC_TH：GVC制御指令値を補正により実施すると判断する閾値[G]、である。
【００４９】
表２で記したように、ステップ２０３で算出された調停後の制御指令値(Gx_Arb)が、補正に十分な制御指令が出力されていると判断する閾値（m_GVC_TH）以上の場合で、且つ、ステップ２０５で算出されたGVC制御指令値(Gx_GVC)が、GVC制御指令値を補正により実施すると判断する閾値（m_GVC_DEC_TH）以下の場合、補正判断ステータス(T_status)は、補正有り(T_Corr)と判断される。
【００５０】
また、それ以外の場合は、補正判断ステータス(T_status)は、補正無し（T_NotCorr）と判断される。
【００５１】
ここで、補正に十分な制御指令が出力されていると判断する閾値（m_GVC_TH）は、GVC制御指令値の範囲において適切な値を設定することが重要となり、0〜0.3[G]の範囲で設定することを想定している。
【００５２】
なお、補正に十分な制御指令が出力されていると判断する閾値（m_GVC_TH）は、車両に搭載される制駆動部１１５に用いるシステムを考慮して決定する必要がある。すなわち、電動モータシステムのように加速の制御指令値と減速の制御指令値を連続的に制御できる場合には、その値をより小さい値、または負の値とすることが可能である。一方、エンジンシステムを用いた場合には、主に加速の制御指令値を制御可能となるため、ある程度の大きさの正値とすることが望ましい。電動モータとエンジンシステムを組合せたシステムの場合には、電動モータのみを用いるモードやエンジンのみを用いるモード、および電動モータとエンジンの組合せなどのそれぞれの駆動モード毎に閾値を変更することが望ましい。
【００５３】
また、本実施例では、第一の制御指令値として、調停後の制御指令値(Gx_Arb)を用いて説明したが、ドライバ操作に応じた制御指令値(Gx_Drv)や、ACCによる制御指令値(Gx_ACC)を用いても良い。その際は、表１を用いない。
【００５４】
次に、ステップ２０６の制御指令値補正処理が実行され、ステップ２０５で算出された補正判断ステータス(T_status)に応じて、以下表３で示すように、補正後制駆動制御指令値(Gx_Accel)と補正後の制動制御指令値(Gx_Decel)を決定するような処理を行う。同表を用いて定義した処理内容については、既述の通りである。
【００５５】
【表３】
2015045502.tif 000006
ここで、T_status：補正判断ステータス、Gx_Accel：補正後制駆動制御指令値[G]、Gx_Decel：補正後制動制御指令値[G]、T_Corr：補正有りを表す値、Gx_GVC：GVC制御指令値[G]、Gx_Arb：調停後の制御指令値[G]である。
【００５６】
補正判断ステータス(T_status)が補正有り(T_Corr)の場合、第一の制御指令値である調停後の制御指令値(Gx_Arb)を第二の制御指令値であるGVC制御指令値(Gx_GVC)に基づいて補正される。具体的には、補正後制駆動指令値(Gx_Accel)は、調停後の制御指令値(Gx_Arb)からGVC制御指令値(Gx_GVC)を減じた値を出力する。また、補正後制動制御指令値(Gx_Decel)は、ゼロとする。
【００５７】
補正判断ステータス(T_status)が補正有り(T_Corr)以外の場合、補正後制駆動指令値(Gx_Accel)は、ステップ２０３の調停した制御指令値の算出処理で算出された制御指令値(Gx_Arb)と、ステップ２０４のG-Vectoring制御による制御指令値の算出処理で算出された制御指令値(Gx_GVC)から、加速側の制御指令値、すなわち、制御指令値が正値のものの中のいずれか大きい値を選択する処理（セレクトハイ処理）となる。
【００５８】
また、補正後制動制御指令値(Gx_Decel)は、ステップ２０３の調停した制御指令値の算出処理で算出された制御指令値(Gx_Arb)と、ステップ２０４のG-Vectoring制御による制御指令値の算出処理で算出された制御指令値(Gx_GVC)から、減速側の制御指令値すなわち、制御指令値が負値のものの中のいずれか小さい値を選択する処理（セレクトロー処理）となる。
【００５９】
なお、ステップ２０５からステップ２０６については、これらの処理をまとめてひとつの論理表として処理することも可能であり、この場合でも本発明の効果は同等である。
【００６０】
次に、ステップ２０７の制駆動指令フィルタ処理が実行され、以下数式２にて、制駆動制御指令出力値前回値（Gx_Accel_Out_Z1）と補正後制駆動制御指令値（Gx_Accel）から、制駆動制御指令出力値（Gx_Accel_Out）が算出される。
【００６１】
【数２】
2015045502.tif 000007
ここで、Gx_Accel_Out：制駆動制御指令出力値[G]、Gx_Accel：補正後制駆動制御指令値[G]、Gx_Accel_Out_Z1：制駆動制御指令出力値前回値[G]、T0：サンプリング時間[sec]、Ta：制駆動出力フィルタ時定数[sec]、である。
【００６２】
また、制御指令値補正処理部１１３eにて、上記のように補正が実行された場合、表示部１１７を用いてドライバに報知することも出来る。
【００６３】
次に、ステップ２０８の制動指令フィルタ処理が実行され、以下数式３にて、制動制御指令出力値前回値（Gx_Decel_Out_Z1）と補正後制動制御指令値（Gx_Decel）から、制動制御指令出力値（Gx_Decel_Out）が算出される。
【００６４】
【数３】
2015045502.tif 000008
ここで、Gx_Decel_Out：制動制御指令出力値[G]、Gx_Decel：補正後制動制御指令値[G]、Gx_Decel_Out_Z1：制動制御指令出力値前回値[G]、T0：サンプリング時間[sec]、Tb：制動出力フィルタ時定数[sec]、である。
【００６５】
なお、本実施例ではフィルタ処理として1次IIR(Infinite Impulse Response)フィルタによるローパスフィルタ処理を用いたが、補正後制御指令値切替り時に制御指令値出力値が急変することを防ぐ目的であり、その他のフィルタ処理を用いても本発明の本質的な効果は変わらない。
＜具体的な走行シーンの例＞
図４は、本実施の形態に係る車両の走行制御装置を搭載した自車両がカーブに進入してから脱出するまでの走行経路を模式的に示した図である。同図における走行経路は、直線区間(N1〜N2)、緩和曲線からなる過渡区間(N2〜N3)、定常旋回区間(N3〜N4)、緩和曲線からなる過渡区間(N4〜N5)、および直線区間(N5〜N6)から成る。
【００６６】
以下、まずドライバは、直線区間(N1〜N2)でブレーキ操作により、ドライバの主観に応じて、十分と感じるまで自車を減速させる（ドライバブレーキ期間a）。そのあとで、アクセル操作により徐々に自車を加速させつつ、過渡区間(N2〜N3)に進入する。その後、アクセル操作はおおよそ一定のままで、定常旋回区間（N3〜N4）を通過し、過渡区間(N4〜N5)に入ると徐々にアクセルを踏み増し、直線区間(N5〜N6)ではさらにアクセルを踏込み、目標とする速度まで加速させるという走行シナリオ１を前提として説明する。
【００６７】
始めに、図５を用いて、従来技術１による車両の走行制御装置により、既述する走行シナリオ１で走行した際の自車両の動作を説明する。同図中には上から順に、ドライバアクセル操作に応じた制御指令値、ドライバブレーキ操作に応じた制御指令値、ACC制御指令値、GVC制御指令値、制駆動制御指令値、および制動制御指令値の時系列波形を示している。
[区間(N1〜N2〜N3)]
はじめの直線区間（N1〜N2）では、前述のシナリオの通り、ドライバはまずブレーキ操作により、自車両を減速させ、そのあとで徐々にアクセル操作により車両を加速させながら、過渡区間へ進入していく。また、このときドライバは自車両を直進させるためにステア角を一定に保つ。このため、自車両に作用する横加速度はゼロ付近で一定となるため、GVC指令値はゼロとなる。
【００６８】
このとき、ブレーキ操作に応じて算出された減速の制御指令が制動部へ送信され、自車両は減速する。次に、アクセル操作に応じて算出された加速の制御指令が制駆動部へ送信され、自車両は加速する。
【００６９】
次に、自車両が過渡区間(N2〜N3)に進入すると、ドライバは引き続き一定のアクセル操作を継続しながら走行する。また、このときドライバはステア操作を徐々に開始してステアの切り増しを始める。このドライバのステア操作に応じて、自車両に作用する横加速度も徐々に増加する。すると横加加速度も増加するため、GVC制御指令値による減速の制御指令値が算出される。
【００７０】
このとき、アクセル操作に応じて算出された加速の制御指令が制駆動部へ送信され、自車両は加速または一定速を維持しつつ走行する。また同時にGVCによる減速の指令指令が制動部へ送信され、自車両が減速される。つまり、この区間では車両には制駆動部による加速と、制動部による減速が同時に作用する。
【００７１】
このように従来技術１では、車両に作用する横加加速度に応じて算出した前後の制御指令値を加えることにより、車両を安定化することは可能となるが、ドライバのアクセル操作中にもかかわらずブレーキ制御がかかることによる強い違和感が発生する。
【００７２】
また、図６を用いて、図５の従来技術１とは異なる従来技術２による車両の走行制御装置により、既述する走行シナリオ１で走行した際の自車両の動作を説明する。この従来技術２のように、減速の制御指令がある場合には、加速の制御指令を一定まで抑制し、制動を優先とする方法がある。しかし、この場合にはドライバはアクセルを踏んでいるにも関わらず、減速のみ実施されるため、強い違和感が発生する。
【００７３】
そこで、ドライバのアクセル操作時は、制御指令値に応じて制御指令値を補正してドライバに違和感を与えない手法が望まれる。
[区間(N3〜N4)]
続いて、自車両が定常区間（N3〜N4）に進入すると、ドライバは引き続き一定のアクセル操作を継続しながら走行する。またドライバはステアの切り増しを止めてステア角を一定に保つ。このとき、自車両に作用する横加速度は一定となり、横加加速度もゼロとなるため、GVC制御指令値はゼロとなる。
【００７４】
よって、自車両はアクセル操作に応じて算出された加速の制御指令が制駆動部へ送信され、加速または一定速を維持しつつ走行する。
[区間(N4〜N5〜N6)]
続いて、自車両が過渡区間（N4〜N5）に進入すると、さらにアクセル操作により車両を加速させながら、直線区間へ進入していく。またドライバはステアの切り戻しを始める。このドライバ操作に応じて、自車両に作用する横加速度は徐々に減少する。このように横加加速度が減少するため、GVC制御指令値としては加速の制御指令値が算出される。
【００７５】
このとき、ドライバのアクセル操作に応じて算出された加速の制御指令値とGVCによる加速の制御指令値の大きい値が選択された後、制駆動部へ送信され、加速または一定速を維持しつつ走行する。
【００７６】
この後、自車両が直線区間（N5〜N6）に進入すると、アクセル操作によりドライバの任意の速度へと加速していく。またドライバはステア操作を止め、車両の直進を保つためにステア角を一定に保つ。よって、自車両に作用する横加速度は一定となるため、GVC制御指令値は再びゼロに戻る。
【００７７】
次に、図７を用いて本実施の形態に係る車両の走行制御装置により、既述する走行シナリオ１で走行した際の動作について説明する。なお、N3以降の走行経路については既述の通り従来技術においても課題とならないため、説明を省略する。
【００７８】
同図中には上から順に、ドライバアクセル操作に応じた制御指令値、ドライバブレーキ操作に応じた制御指令値、ACC制御指令値、GVC制御指令値、制駆動制御指令値、および制動制御指令値の時系列波形を示している。
[区間(N1〜N2〜N3)]
既述の通り、はじめの直線区間（N1〜N2）では、GVC指令値はゼロとなるため、前述の従来技術と同様にドライバのアクセル操作、およびブレーキ操作に応じて車両は加速、および減速制御される。
【００７９】
次に、自車両が過渡区間(N2〜N3)に進入すると、ドライバは引き続き一定のアクセル操作を継続しながら走行する。また、このときドライバはステア操作を徐々に開始してステアの切り増しを始める。このドライバのステア操作に応じて、自車両に作用する横加速度も徐々に増加する。すると横加加速度も増加するため、GVC制御指令値による減速の制御指令値が算出される。
【００８０】
このとき前述の通り、従来の技術では、ドライバのアクセル操作中にもかかわらずブレーキ制御がかかることによる強い違和感が発生する。
【００８１】
そこで本発明の実施の形態では、ステップ２００からステップ２０８により、制御指令値（Gx_Arb）が一定以上の場合には、図７に示すように加速の制御指令値（Gx_Arb）からGVCによる減速の制御指令値(Gx_GVC)をマイナスするした補正後制御指令値（Gx_Corr）を車両に印加することにより、アクセル操作中にブレーキがかかることによるドライバへの違和感を低減（または解消）しつつ、ブレーキによる絶対的な減速ではなく、相対的な減速により車両を安定させる効果を出すことが可能となる。
【００８２】
次に、図８を用いて、従来技術の車両の走行制御装置により、図５のような走行経路を既述の走行シナリオ１とは違う走行シナリオ２で走行した場合について説明する。
【００８３】
走行シナリオ２として、ドライバはACCにより予め設定した車速で走行する場合について説明する。なおこのとき、ドライバはアクセル操作およびブレーキ操作は実施しない。
【００８４】
同図中には上から順に、ドライバアクセル操作に応じた制御指令値、ドライバブレーキ操作に応じた制御指令値、ACC制御指令値、GVC制御指令値、制駆動制御指令値、および制動制御指令値の時系列波形を示している。
[区間(N1〜N2〜N3)]
はじめの直線区間（N1〜N2）では、ACCにより一定速を維持するための制御指令値が算出される。また、このときドライバは自車両を直進させるためにステア角を一定に保つ。このため、自車両に作用する横加速度はゼロ付近で一定となるため、GVC指令値はゼロとなる。
【００８５】
よってこのとき、ACCにより算出された加速の制御指令値が制駆動部へ送信され、自車両は一定速で走行する。
【００８６】
次に、自車両が過渡区間(N2〜N3)に進入すると、走行抵抗などにより徐々に自車速が低下するため、ACCにより設定車速となるように加速の制御指令値が算出される。また、このときドライバはステア操作を徐々に開始してステアの切り増しを始める。このドライバのステア操作に応じて、自車両に作用する横加速度も徐々に増加する。すると横加加速度も増加するため、GVC制御指令値による減速の制御指令値が算出される。
【００８７】
このとき、ACCにより算出された加速の制御指令が制駆動部へ送信され、自車両は加速して一定速を維持しつつ走行しようとする。また同時にGVCによる減速の指令値が制動部へ送信され、自車両が減速される。つまり、この区間では車両には制駆動部１１５による加速と、制動部１１４による減速が同時に作用する。
【００８８】
このように従来技術では、車両に作用する横加加速度に応じて算出した前後の制御指令値を加えることにより、車両を安定化することは可能となるが、ACCによる加速の制御中にもかかわらずブレーキ制御がかかることによる強い違和感が発生する。
【００８９】
そこで、車両に対する加速の制御指令がある場合には、制御指令値に応じて制御指令値を補正してドライバに違和感を与えない手法が望まれる。
[区間(N3〜N4)]
続いて、自車両が定常区間（N3〜N4）に進入するが、ACCは低下した車速を設定車速に戻すような制御指令を算出する。このとき、自車両に作用する横加速度は一定となり、横加加速度もゼロとなるため、GVC制御指令値はゼロとなる。
【００９０】
よって、自車両はACCにより算出された加速の制御指令が制駆動部へ送信され、加速し設定車速に戻るように制御され走行する。
[区間(N4〜N5〜N6)]
続いて、自車両が過渡区間（N4〜N5）に進入すると、同様に低下した車速を設定車速に戻すような制御指令を算出する。またドライバはステアの切り戻しを始める。このドライバ操作に応じて、自車両に作用する横加速度は徐々に減少する。このように横加加速度が減少するため、GVC制御指令値としては加速の制御指令値が算出される。
【００９１】
このとき、ドライバのアクセル操作に応じて算出された加速の制御指令値とGVCによる加速の制御指令値の大きい値が選択された後、制駆動部へ送信され、加速し設定車速に戻るように制御され走行する。
【００９２】
この後、自車両が直線区間（N5〜N6）に進入すると、同様に低下した車速を設定車速に戻すような制御指令を算出する。またドライバはステア操作を止め、車両の直進を保つためにステア角を一定に保つ。よって、自車両に作用する横加速度は一定となるため、GVC制御指令値は再びゼロに戻る。
【００９３】
次に、図９を用いて本実施の形態に係る車両の走行制御装置により、既述する走行シナリオ２で走行した際の動作について説明する。なお、N3以降の走行経路については既述の通り従来技術においても課題とならないため、説明を省略する。
【００９４】
同図中には上から順に、ドライバアクセル操作に応じた制御指令値、ドライバブレーキ操作に応じた制御指令値、ACC制御指令値、GVC制御指令値、制駆動制御指令値、および制動制御指令値の時系列波形を示している。
[区間(N1〜N2〜N3)]
既述の通り、はじめの直線区間（N1〜N2）では、GVC指令値はゼロとなるため、前述の従来技術と同様にACCに応じて車両は制御される。
【００９５】
つぎに、自車両が過渡区間(N2〜N3)に進入すると、走行抵抗などにより徐々に自車速が低下するため、ACCにより設定車速となるように加速の制御指令値が算出される。また、このときドライバはステア操作を徐々に開始してステアの切り増しを始める。このドライバのステア操作に応じて、自車両に作用する横加速度も徐々に増加する。すると横加加速度も増加するため、GVC制御指令値による減速の制御指令値が算出される。
【００９６】
このとき前述の通り、従来の技術では、ACCによる加速の制御中にもかかわらずブレーキ制御がかかることによる強い違和感が発生する。
【００９７】
そこで本発明の実施の形態では、ステップ２００からステップ２０８により、制御指令値（Gx_Arb）が一定以上の場合には、図９に示すように加速の制御指令値（Gx_Arb）からGVCによる減速の制御指令値(Gx_GVC)をマイナスするした補正後制御指令値（Gx_Corr）を車両に印加することにより、加速制御にブレーキがかかることによるドライバへの違和感を低減（または解消）しつつ、ブレーキによる絶対的な減速ではなく、相対的な減速により車両を安定させる効果を出すことが可能となる。
【００９８】
以上説明したように本発明の実施形態では、車両に対する前後加速度要求の大きさを考慮しながら、車両に作用する横加加速度に応じた前後加速度を車両に加えることにより、ドライバの違和感を抑えつつ、快適に、車両を制御することのできる車両の走行制御装置を提供することが可能となる。
【００９９】
これまで、制御指令値演算部１１３に搭載される走行制御アルゴリズムが、ドライバ操作に応じた制御指令値の算出処理と、ACC、およびG−Vectoring制御の場合について記述したが、その他の前後加速度を制御指令とする走行制御アルゴリズムを制御指令値算出処理部１１３bに追加したり、あるいは置換えをした場合であっても同様の効果を得ることが可能である。
【０１００】
以上、本発明の実施の形態を、図面を用いて詳述してきたが、具体的な構成は上記した実施形態に限定されるものではなく、本発明の要旨を逸脱しない範囲における設計変更等があっても、それらは本発明に含まれるものである。例えば、上記した実施の形態は本発明を分かり易く説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【０１０１】
具体的には、図示する走行制御アルゴリズムとしてG−Vectoring制御を取り上げて説明しているが、走行制御アルゴリズムとしては、これ以外にも、Adaptive Cruise Control（ACC）やプリクラッシュ制御であってもよく、さらには、これらの２以上の制御を組み合わせた走行制御アルゴリズムであってもよい。
【０１０２】
また、上記の各構成、機能、処理部等は、それらの一部もしくは全部を、例えば集積回路で設計する等によってハードウェアで実現してもよい。また、上記の各構成、機能等は、プロセッサがそれぞれの機能を実現するプログラムを解釈し、実行することにより、ソフトウェアで実現してもよい。各機能を実現するプログラム、テーブル、ファイル等の情報は、メモリやハードディスク、ＳＳＤ（Solid State Drive）等の記録装置、もしくはＩＣカード、ＳＤカード、ＤＶＤ等の記録媒体に置くことができる。
【符号の説明】
【０１０３】
１００  車両の走行制御装置
１１１  ドライバ操作情報取得部
１１２  車両運動情報取得部
１１３  制御指令値演算部
１１４  制動部
１１５  制駆動部
１１６  外界認識情報取得部
１１７  表示部
【図１】
2015045502.tif 000009
【図２】
2015045502.tif 000010
【図３】
2015045502.tif 000011
【図４】
2015045502.tif 000012
【図５】
2015045502.tif 000013
【図６】
2015045502.tif 000014
【図７】
2015045502.tif 000015
【図８】
2015045502.tif 000016
【図９】
2015045502.tif 000017
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
車両の前後加速度を制御する第一の制御指令値を算出する第一の制御指令値算出部と、
車両に作用する横加加速度に応じた前後加速度を制御する第二の制御指令値を算出する第二の制御指令値算出部と、
前記第一の制御指令値及び前記第二の制御指令値に基づいて補正の可否を判断する補正判断処理部と、
前記補正判断処理部にて補正有りと判断された場合、前記第一の制御指令値を前記第二の制御指令値に基づいて補正する補正処理部と、
を有する車両の走行制御装置であって、
前記補正判断処理部は、
アクセル操作により車両が加速された後、一定以上のアクセル操作が継続され、ステア操作によりステアの切り増しが行われている場合に補正ありと判断する
ことを特徴とする車両の走行制御装置。
【請求項２】
請求項１記載の車両の走行制御装置において、
前記補正処理部は、前記補正判断処理部にて補正無しと判断された場合、前記第一の制御指令値、又は前記第二の制御指令値を出力する車両の走行制御装置。
【請求項３】
請求項１記載の車両の走行制御装置において、
前記第一の制御指令値算出部は、ドライバのアクセル操作に応じた要求加速度を算出し、前記第一の制御指令値として出力する車両の走行制御装置。
【請求項４】
車両の前後加速度を制御する第一の制御指令値を算出する第一の制御指令値算出部と、
車両に作用する横加加速度に応じた前後加速度を制御する第二の制御指令値を算出する第二の制御指令値算出部と、
前記第一の制御指令値及び前記第二の制御指令値に基づいて補正の可否を判断する補正判断処理部と、
前記補正判断処理部にて補正有りと判断された場合、前記第一の制御指令値を前記第二の制御指令値に基づいて補正する補正処理部と、
を有する車両の走行制御装置であって、
前記第一の制御指令値算出部は、ドライバにより予め設定した車速で走行するための要求加速度を算出し、前記第一の制御指令値として出力する車両の走行制御装置。
【請求項５】
請求項４記載の車両の走行制御装置において、
前記第一の制御指令値算出部は、先行車が検知された場合、自車及び前記先行車との車間距離をドライバにより予め設定された車間距離を維持して追従走行を行わせる要求加速度を算出する車両の走行制御装置。
【請求項６】
車両の前後加速度を制御する第一の制御指令値を算出する第一の制御指令値算出部と、
車両に作用する横加加速度に応じた前後加速度を制御する第二の制御指令値を算出する第二の制御指令値算出部と、
前記第一の制御指令値及び前記第二の制御指令値に基づいて補正の可否を判断する補正判断処理部と、
前記補正判断処理部にて補正有りと判断された場合、前記第一の制御指令値を前記第二の制御指令値に基づいて補正する補正処理部と、
を有する車両の走行制御装置であって、
前記補正判断処理部は、前記第一の制御指令値が予め定めた第一の閾値以上の場合、且つ前記第二の制御指令値が予め定めた第二の閾値以下の場合、補正可能と判断する車両の走行制御装置。
【請求項７】
請求項１記載の車両の走行制御装置において、
前記補正処理部は、前記補正判断処理部にて補正有りと判断された場合、前記第一の制御指令値に前記第二の制御指令値を加算した値を出力する車両の走行制御装置。
【請求項８】
車両の前後加速度を制御する第一の制御指令値を算出する第一の制御指令値算出部と、
車両に作用する横加加速度に応じた前後加速度を制御する第二の制御指令値を算出する第二の制御指令値算出部と、
前記第一の制御指令値及び前記第二の制御指令値に基づいて補正の可否を判断する補正判断処理部と、
前記補正判断処理部にて補正有りと判断された場合、前記第一の制御指令値を前記第二の制御指令値に基づいて補正する補正処理部と、
を有する車両の走行制御装置であって、
前記第一の制御指令値算出部は、ドライバのアクセル操作に応じた制御指令値を算出する第一の算出処理と、ドライバにより予め設定した車速で走行する制御指令値を算出する第二の算出処理と、前記第一の算出処理の結果と前記第二の算出処理の結果に基づいて調停後の制御指令値を算出する第三の算出処理と、を有する車両の走行制御装置。
【請求項９】
請求項８記載の車両の走行制御装置において、
前記第一の制御指令値算出部は、前記第一の算出処理で算出された制御指令値が加速指令値であって、且つ前記第二の算出処理で算出された制御指令値が加速指令値である場合、いずれか値が大きい制御指令値を前記調停後の制御指令値として出力する車両の走行制御装置。
【請求項１０】
請求項８記載の車両の走行制御装置において、
前記第一の制御指令値算出部は、前記第一の算出処理で算出された制御指令値が加速指令値であって、且つ前記第二の算出処理で算出された制御指令値が減速指令値である場合、前記第一の算出処理で算出された制御指令値を前記調停後の制御指令値として出力する車両の走行制御装置。
【請求項１１】
請求項５記載の車両の走行制御装置において、
前記先行車は、単眼カメラ、ステレオカメラ、ミリ波レーダー、レーザレーダの少なくとも１つの外界認識センサによって検知される車両の走行制御装置。
【請求項１２】
請求項１記載の車両の走行制御装置において、
前記補正処理部にて補正が実行された場合、表示部によりドライバに報知する車両の走行制御装置。
【手続補正２】
【補正対象書類名】明細書
【補正対象項目名】００１２
【補正方法】変更
【補正の内容】
【００１２】
前記目的を達成すべく、本発明の車両の走行制御装置は、車両の前後加速度を制御する第一の制御指令値を算出する第一の制御指令値算出部と、車両に作用する横加加速度に応じた前後加速度を制御する第二の制御指令値を算出する第二の制御指令値算出部と、第一の制御指令値及び第二の制御指令値に基づいて補正の可否を判断する補正判断処理部と、補正判断処理部にて補正有りと判断された場合、第一の制御指令値を第二の制御指令値に基づいて補正する補正処理部と、を有し、補正判断処理部は、アクセル操作により車両が加速された後、一定以上のアクセル操作が継続され、ステア操作によりステアの切り増しが行われている場合に補正ありと判断する構成とする。
【手続補正３】
【補正対象書類名】明細書
【補正対象項目名】００５６
【補正方法】変更
【補正の内容】
【００５６】
補正判断ステータス(T_status)が補正有り(T_Corr)の場合、第一の制御指令値である調停後の制御指令値(Gx_Arb)を第二の制御指令値であるGVC制御指令値(Gx_GVC)に基づいて補正される。具体的には、補正後制駆動指令値(Gx_Accel)は、調停後の制御指令値(Gx_Arb)にGVC制御指令値(Gx_GVC)を加算した値を出力する。また、補正後制動制御指令値(Gx_Decel)は、ゼロとする。
【手続補正４】
【補正対象書類名】明細書
【補正対象項目名】００８１
【補正方法】変更
【補正の内容】
【００８１】
そこで本発明の実施の形態では、ステップ２００からステップ２０８により、制御指令値（Gx_Arb）が一定以上の場合には、図７に示すように加速の制御指令値（Gx_Arb）にGVCによる減速の制御指令値(Gx_GVC)を加算した補正後制御指令値（Gx_Corr）を車両に印加することにより、アクセル操作中にブレーキがかかることによるドライバへの違和感を低減（または解消）しつつ、ブレーキによる絶対的な減速ではなく、相対的な減速により車両を安定させる効果を出すことが可能となる。
【手続補正５】
【補正対象書類名】明細書
【補正対象項目名】００９７
【補正方法】変更
【補正の内容】
【００９７】
そこで本発明の実施の形態では、ステップ２００からステップ２０８により、制御指令値（Gx_Arb）が一定以上の場合には、図９に示すように加速の制御指令値（Gx_Arb）にGVCによる減速の制御指令値(Gx_GVC)を加算した補正後制御指令値（Gx_Corr）を車両に印加することにより、加速制御にブレーキがかかることによるドライバへの違和感を低減（または解消）しつつ、ブレーキによる絶対的な減速ではなく、相対的な減速により車両を安定させる効果を出すことが可能となる。
【国際調査報告】
2015045502.tif 000018
2015045502.tif 000019